(57)【要約】【課題】  簡易で小型の構成で断面の相当直径が１０００マイクロメートル以下のマイクロ流路内に流れる二つの流体を任意の混合比率をもって混合する。【解決手段】  溶媒を導入する溶媒導入流路２２と原液を導入する原液導入流路２４とに接続された断面が幅１２０μｍで深さが４０μｍの略円弧状に形成された混合流路３２の底部に隙間が波線状となる一対の電極３４ａ，３４ｂを取り付け、この電極３４ａ，３４ｂに電圧値を変更可能な交流電圧を印加する。電極３４ａ，３４ｂ上では交流電気浸透により交流電圧の電圧値に応じた強度で原液と溶媒とが混合される。したがって、電極３４ａ，３４ｂに印加する交流電圧を調整することにより、原液を任意の混合比率をもって溶媒で希釈した希釈液として希釈液取流路４０から取り出すことができる。【選択図】        図１
2006320878.tif 000002
【特許請求の範囲】
【請求項１】
第１の流体に該第１の流体とは異なる第２の流体を混合比率の調整を伴って混合する流体混合装置であって、
同一平面内にＹ字状に分岐した二つの導入口とＹ字状に分岐した二つの排出口とを有し、断面の相当直径が１０００マイクロメートル以下の混合流路と、
前記混合流路の導入口の一方に前記第１の流体を導入する第１流体導入部と、
前記混合流路の導入口の他方に前記第２の流体を導入する第２流体導入部と、
前記混合流路における流体の撹拌の程度を調整する撹拌程度調整手段と、
前記混合流路の二つの排出口のうち前記第１の流体が導入される導入口と同側の排出口に接続されて混合流体を取り出す混合流体取出流路と、
を備える流体混合装置。
【請求項２】
前記撹拌程度調整手段は、前記混合流路に配設された複数の電極と、該複数の電極に電圧および／または周波数を変更可能に交流電圧を印加する交流電圧印加手段と、を備える手段である請求項１記載の流体混合装置。
【請求項３】
前記撹拌程度調整手段は、前記複数の電極を前記混合流路における流体の流心に対して非対称となるよう配置してなる手段である請求項２記載の流体混合装置。
【請求項４】
前記撹拌程度調整手段は、前記複数の電極として二つの電極を用いると共に該二つの電極を電極間の隙間が曲線状となるよう形成して配置してなる手段である請求項２記載の流体混合装置。
【請求項５】
前記二つの電極は、該二つの電極間の隙間が波線状となるよう形成されてなる請求項４記載の流体混合装置。
【請求項６】
前記第１流体導入部および前記第２流体導入部は、前記混合流路の断面の相当直径ｄｈ、前記混合流路の長さＬ、前記混合流路における流体の流速ｖ、前記混合流路における流体の拡散係数Ｄに対して、ｖ・ｄｈ／Ｄにより演算されるペクレ数が１０2〜１０4の範囲でＬ／ｄｈにより演算される対象演算値が１０0〜１０2の範囲となる条件を満たすよう前記第１の流体と前記第２の流体とを導入することを特徴とする請求項１ないし５いずれか記載の流体混合装置。
【請求項７】
前記混合流体取出流路から取り出される混合流体の混合を均一化する均一化手段を備える請求項１ないし６いずれか記載の流体混合装置。
【請求項８】
前記均一化手段は、前記混合流体取出流路に配設された複数の電極と、該複数の電極に交流電圧を印加する交流電圧印加手段と、を備える手段である請求項７記載の流体混合装置。
【発明の詳細な説明】
【技術分野】
【０００１】
本発明は、流体混合装置に関し、詳しくは、第１の流体に第１の流体とは異なる第２の流体を混合比率の調整を伴って混合する流体混合装置に関する。
【背景技術】
【０００２】
流路内の異なる二つの流体を混合する手法としては、先端部にプロペラを有するミキサーをモータで駆動して混合する機械的手法や超音波を照射することにより混合する手法などが種々提案されている。
【発明の開示】
【発明が解決しようとする課題】
【０００３】
一般に、断面の相当直径が１０００マイクロメートル以下のマイクロ流路内に流れる二つの流体の混合は、二つの流体の導入流量を目的とする混合比になるように調節することにより行なわれる。このため、二つの流体の導入流量の調節を高い精度をもって行なう必要が生じ、二つの流体を導入する装置が複雑化したり大型化する。
【０００４】
本発明の流体混合装置は、簡易で小型の構成で断面の相当直径が１０００マイクロメートル以下のマイクロ流路内に流れる二つの流体を任意の混合比率をもって混合することを目的の一つとする。また、本発明の流体混合装置は、断面の相当直径が１０００マイクロメートル以下のマイクロ流路内に流れる二つの流体を高い精度の任意の混合比率をもって混合することを目的の一つとする。
【課題を解決するための手段】
【０００５】
本発明の流体混合装置は、上述の目的の少なくとも一部を達成するために以下の手段を採った。
【０００６】
本発明の流体混合装置は、
第１の流体に該第１の流体とは異なる第２の流体を混合比率の調整を伴って混合する流体混合装置であって、
同一平面内にＹ字状に分岐した二つの導入口とＹ字状に分岐した二つの排出口とを有し、断面の相当直径が１０００マイクロメートル以下の混合流路と、
前記混合流路の導入口の一方に前記第１の流体を導入する第１流体導入部と、
前記混合流路の導入口の他方に前記第２の流体を導入する第２流体導入部と、
前記混合流路における流体の撹拌の程度を調整する撹拌程度調整手段と、
前記混合流路の二つの排出口のうち前記第１の流体が導入される導入口と同側の排出口に接続されて混合流体を取り出す混合流体取出流路と、
を備えることを要旨とする。
【０００７】
この本発明の流体混合装置では、一方の導入口から混合流路に導入された第１の流体と他方の導入口から混合流路に導入された第２の流体とを撹拌の程度の調整をもって撹拌し、混合流路の二つの排出口のうち一方の導入口と同側の排出口に接続された混合流体取出流路から混合流体を取り出す。混合流路における流体の撹拌の程度を低くすると、混合流路内の二つの流体の層状の流れはあまり乱されないから、混合流体取出流路からは第２の流体の混合比率の低い混合流体を取り出すことができる。一方、混合流路における流体の撹拌の程度を高くすると、混合流路内の二つの流体の層状の流れは大きく乱されて撹拌されるから、混合流体取出流路からは第２の流体の混合比率の高い混合流体を取り出すことができる。このように混合流路の撹拌の程度を調整することにより、第１の流体に対する第２の流体の混合率を値０から両流体の導入流量の比率の範囲で変化させることができる。この結果、断面の相当直径が１０００マイクロメートル以下のマイクロ流路内で二つの流体を高い精度の任意の混合比率をもって混合することができる。ここで、本発明の流体混合装置において、混合流路の断面の相当直径については１０００マイクロメートル以下であればよく、断面の相当直径としては、５００マイクロメートルや１００マイクロメートル、５０マイクロメートル、１０マイクロメートルなどを用いることものとしてもよい他、ナノメートルオーダーを用いるものとしてもよい。
【０００８】
こうした本発明の流体混合装置において、前記撹拌程度調整手段は、前記混合流路に配設された複数の電極と、該複数の電極に電圧および／または周波数を変更可能に交流電圧を印加する交流電圧印加手段と、を備える手段であるものとすることもできる。この撹拌は、流体内に配設された二つの電極に交流電圧を印加すると、各電極上の流体粒子に他方の電極から遠ざかる方向の力が作用して流体内に対流が生じる、いわゆる交流電気浸透が生じる現象に基づく。即ち、流路に配設された複数の電極に交流電圧を印加することにより、流路内の流体に交流電気浸透を生じさせ、流路内の流体にその流向とは異なる方向の対流現象作用を生じさせ、これにより流体を撹拌するのである。こうした撹拌の程度は印加する交流電圧の大きさや周波数によって異なるものとすることができるから、印加する交流電圧を調整するだけで二つの流体を任意の混合比率をもって混合することができる。この結果、簡易で小型の構成でマイクロ流路内を流れる二つの流体を任意の混合比率をもって高い精度で混合することができる。この場合、前記撹拌程度調整手段は、前記複数の電極を前記混合流路における流体の流心に対して非対称となるよう配置してなる手段であるものとすることもできるし、前記複数の電極として二つの電極を用いると共に該二つの電極を電極間の隙間が曲線状となるよう形成して配置してなる手段であるものとすることもできる。後者の場合、前記二つの電極は、該二つの電極間の隙間が波線状となるよう形成されてなるものとすることもできる。これらの場合、撹拌性を高くすることができるから、印加する交流電圧の強度範囲を小さくすることができる。また、前記第１流体導入部および前記第２流体導入部は、前記混合流路の断面の相当直径ｄｈ、前記混合流路の長さＬ、前記混合流路における流体の流速ｖ、前記混合流路における流体の拡散係数Ｄに対して、ｖ・ｄｈ／Ｄにより演算されるペクレ数が１０2〜１０4の範囲でＬ／ｄｈにより演算される対象演算値が１０0〜１０2の範囲となる条件を満たすよう前記第１の流体と前記第２の流体とを導入することを特徴とするものとすることもできる。
【０００９】
また、本発明の流体混合装置において、前記混合流体取出流路から取り出される混合流体の混合を均一化する均一化手段を備えるものとすることもできる。こうすれば、均一に混合された混合流体を取り出すことができる。この場合、前記均一化手段は、前記混合流体取出流路に配設された複数の電極と、該複数の電極に交流電圧を印加する交流電圧印加手段と、を備える手段であるものとすることもできる。こうすれば、交流電気浸透により混合流体の混合を均一なものとすることができる。
【発明を実施するための最良の形態】
【００１０】
次に、本発明を実施するための最良の形態を実施例を用いて説明する。
【実施例】
【００１１】
図１は、本発明の一実施例としての流体混合装置２０の構成の概略を示す構成図である。実施例の流体混合装置２０は、図示するように、希釈用の溶媒を導入する溶媒導入流路２２と、希釈される原液を導入する原液導入流路２４と、導入された原液を導入された溶媒に任意の混合比率で混合する混合流路３２を有する混合部３０と、この混合部３０の混合流路３２の下流部の溶媒導入流路２２側に取り付けられて混合流路３２から混合された希釈液を取り出す希釈液取出流路４０と、この希釈液取出流路４０に取り付けられて希釈液の均一化を図る均一化部４２と、混合部３０の混合流路３２の下流部の原液導入流路２４側に取り付けられて混合流路３２から若干の希釈液が混合した不要な原液である廃液を回収する廃液回収流路４８と、混合部３０における原液の溶媒に対する混合比率をコントロールする電子制御ユニット５０と、を備える。
【００１２】
混合部３０は、溶媒導入流路２２からの溶媒と原液導入流路２４からの原液が導入される混合流路３２と、この混合流路３２の底部に隙間が波線状となる一対の電極３４ａ，３４ｂと、この電極３４ａ，３４ｂに交流電圧を印加する交流電源３６と、電極３４ａ，３４ｂに印加される交流電圧の電圧Ｖを調整する可変抵抗３８と、を備える。混合流路３２は、その断面は幅が１２０μｍで深さが４０μｍの略円弧状に形成されており、長さが５ｍｍとして形成されている。一対の電極３４ａ，３４ｂは、混合流路３２内に流れる流体の流心に沿って対をなし、その隙間が波線状となり長手方向（流心に沿った方向）の長さが１．５ｍｍとなるよう形成されて混合流路３２の底部に同一平面状となるよう配設されている。また、交流電源３６は、振幅の電圧が２０Ｖで周波数が１ｋＨｚの交流電圧を供給し、可変抵抗３８の抵抗値を変更することにより０Ｖ〜２０Ｖの交流電圧を一対の電極３４ａ，３４ｂに印加することができるようになっている。なお、溶媒導入流路２２からの溶媒と原液導入流路２４からの原液は、原液の溶媒に対する最大混合比率となる流量比で混合流路３２に導入され、混合流路３２での流速が３ｍｍ／ｓ〜１５ｍｍ／ｓ程度となるよう調節されている。
【００１３】
混合部３０における混合は次の原理による。一般に、断面の相当直径が１０００μｍ以下のマイクロ流路内に流れる流体は乱流領域になり難く、層流領域で流れる。したがって、同一の流量の溶媒と原液とを混合流路３２に導入すると、溶媒と原液は流路の中央を境として図１中では上下に層をなして流れ、それぞれの拡散係数にしたがった拡散により混合する。したがって、この状態では、混合部３０の混合流路３２の下流部の溶媒導入流路２２側に取り付けられた希釈液取出流路４０からは原液がほとんど混合されていない溶媒が希釈液として取り出されることになり、混合流路３２の下流部の原液導入流路２４側に取り付けられた廃液回収流路４８からは溶媒がほとんど混合されていない原液が廃液としてとして取り出されることになる。実施例のように、混合部３０の混合流路３２の底部に一対の電極３４ａ，３４ｂを設け、この一対の電極３４ａ，３４ｂに交流電圧を印加すると、電極３４ａ，３４ｂ上の流体粒子が他方の電極から遠ざかる方向に移動する現象が見られる。この現象は交流電気浸透として知られている。図２に例示するように、混合流路３２内の流体の流心に沿って一対の電極３４ａ，３４ｂを配置して電極３４ａ，３４ｂに交流電圧を印加すれば、こうした交流電気浸透による流体粒子の移動に伴って混合流路３２内の流体の流心に対して対称をなす二つの対流現象作用が生じる。ここで、図３に例示するように、混合流路３２内の流体の流心に対して偏心して、即ち、一方の電極３４ａを他方の電極３４ｂより大きな面積となるように配置して電極３４ａ，３４ｂに交流電圧を印加すれば、混合流路３２内の流体の流心から偏心した位置で非対称の二つの対流現象作用が生じる。前述したように、混合流路３２内では溶媒と原液とは流路の中央を境として層を流れるから、図３に例示するように、電極３４ａ，３４ｂを混合流路３２内の流体の流心に対して偏心するように配置すれば、交流電気浸透による非対称の二つの対流現象作用により溶媒と原液との混合が行なわれる。実施例の混合部３０では、図１に示すように、電極３４ａ，３４ｂは混合流路３２内の流体の流心に沿ってその隙間が波線状となるように形成されて配置されているから、混合流路３２の流体の流れに沿って、電極３４ａが電極３４ｂより大きな面積となるように配置された状態と逆に電極３４ｂが電極３４ａより大きな面積となるように配置された状態とを繰り返すことになる。このため、混合流路３２内では、溶媒側に偏った非対称の二つの対流現象作用と原液側に偏った非対称の二つの対流現象作用とが繰り返されることにより混合流路３２内が撹拌され、溶媒と原液とが混合する。上述の交流電気浸透に基づく対流現象作用は、印加する交流電圧の振幅、即ち電圧の大きさによって変化するから、電極３４ａ，３４ｂに印加する交流電圧の大きさを調整することにより、溶媒と原液との混合の程度を調節することができる。即ち、可変抵抗３８の抵抗値を最大値として最小電圧の交流電圧を電極３４ａ，３４ｂに印加するものとすれば、原液の混合比率が略０の希釈液を得ることができ、逆に可変抵抗の抵抗値を最小値として最大電圧の交流電圧を電極３４ａ，３４ｂに印加するものとすれば、原液と溶媒の流量比の���合比率の希釈液を得ることができ、可変抵抗３８の抵抗値を最小値と最大値との間の中間値として中間電圧の交流電圧を電極３４ａ，３４ｂに印加するものとすれば、原液と溶媒の流量比と値０との中間の混合比率の希釈液を得ることができるのである。
【００１４】
次に、実施例の混合部３０における混合性能について説明する。図４は、実施例の混合部３０における混合流路３２内の流体（溶媒および原液）の流速Ｖと９０％混合するのに必要な混合流路３２内における電極３４ａ，３４ｂの長さを比較例と共に示した説明図である。ここで比較例は、実施例の混合部３０から電極３４ａ，３４ｂを取り除いたときの混合流路３２内の流体（溶媒および原液）の流速Ｖと９０％混合するのに必要な混合流路３２の長さである。図示するように、比較例では、混合流路３２内の流体の流速が４ｍｍ／ｓ〜１２ｍｍ／ｓの範囲内で９０％混合するのに必要な混合流路３２の長さが１５ｍｍ〜１００ｍｍ程度であるのに対して、実施例では、同一の混合流路３２内の流体の流速の範囲に対して９０％混合するのに必要な電極３４ａ，３４ｂの長さは０．３ｍｍ〜１．２ｍｍ程度となる。したがって、実施例では、混合流路３２の長さを比較例に比して１／１０〜１／１００程度にすることができる。上述したように、実施例では電極３４ａ，３４ｂの長さを１．５ｍｍとしたから、実施例の混合部３０は原液と溶媒とをほぼ完全に混合することができる性能を有しているのが解る。
【００１５】
実施例の混合部３０では、その緒言（断面の幅や深さ、断面形状、流路内の流速）を変更すれば、電極３４ａ，３４ｂの長さや混合流路３２の長さが変化する。そこで、一般的な緒言とするために、混合流路３２内の流体の流速を「Ｖ」、混合流路３２の断面の相当直径を「ｄｈ」、混合流路３２内の流体の拡散係数を「Ｄ」、９０％混合するのに必要な混合流路３２内における電極３４ａ，３４ｂの長さを「Ｘ９０」としたときに、Ｖ・ｄｈ／Ｄで表わされるペクレ数Ｐｅと９０％混合するのに必要な混合流路３２内における電極３４ａ，３４ｂの長さを混合流路３２の断面の相当直径で除したＸ９０／ｄｈとの関係を示せば、図５に示すように、ペクレ数Ｐｅが１０2〜１０4の範囲でＸ９０／ｄｈが１０0〜１０2の範囲となる。この図５の関係は、詳しくは、ペクレ数Ｐｅを横軸にＸ９０／ｄｈを縦軸に両対数軸としたときに図中のポイントを結ぶ近似直線より左上の領域となるように緒言を調整すれば、原液と溶媒との混合率が９０％以上として取り出すことができることを意味している。したがって、必要な混合率から実施例の混合部３０の混合流路３２の断面の幅や深さ、断面形状、流路内の流速、電極３４ａ，３４ｂの長さを設定することができる。
【００１６】
希釈液取出流路４０に取り付けられた均一化部４２は、混合部３０と同様に、この希釈液取出流路４０の底部に隙間が波線状となる一対の電極４４ａ，４４ｂと、この電極４４ａ，４４ｂに交流電圧を印加する交流電源４６と、を備える。均一化部４２は、混合部３０とは異なり、希釈液の均一化を行なうものであるから、交流電圧の大きさを調節する必要がないため、可変抵抗は設けられていない。
【００１７】
電子制御ユニット５０は、ＣＰＵ５２を中心とするマイクロコンピュータとして構成されており、ＣＰＵ５２の他に、処理プログラムなどを記憶するＲＯＭ５４と、データを一時的に記憶するＲＡＭ５６と、図示しない入出力ポートとを備える。こうした電子制御ユニット５０には、スイッチやキーボードなどの入力機器として構成された濃度指示値入力部６０からの濃度指示値Ｃ＊などが入出力ポートを介して入力されており、電子制御ユニット５０からは、混合部３０の交流電源３６へのオンオフ信号や可変抵抗３８への抵抗調整信号、均一化部４２の交流電源４６へのオンオフ信号などが出力ポートを介して出力されている。
【００１８】
次に、こうして構成された実施例の流体混合装置２０の動作について説明する。図６は電子制御ユニット５０により実行される濃度設定ルーチンの一例を示すフローチャートである。このルーチンは、濃度指示値入力部６０から濃度指示値Ｃ＊が入力されたときに実行される。このルーチンが実行されると、電子制御ユニット５０のＣＰＵ５２は、まず、濃度指示値入力部６０からの濃度指示値Ｃ＊を入力し（ステップＳ１００）、入力した濃度指示値Ｃ＊に基づいて電極３４ａ，３４ｂに印加する交流電圧の振幅としての電圧Ｖを設定する（ステップＳ１１０）。この電圧Ｖの設定は、実施例では、実験などにより希釈液取出流路４０から取り出される希釈液の原液の混合比率が濃度指示値Ｃ＊に一致する交流電圧の電圧値を求めて予め電圧設定用マップとしてＲＯＭ５４に記憶しておき、濃度指示値Ｃ＊が与えられるとマップから対応する電圧Ｖを導出して設定するものとした。電圧設定用マップの一例を図７に示す。こうして電圧Ｖを設定すると、設定した電圧Ｖの交流電圧が電極３４ａ，３４ｂに印加されるよう可変抵抗３８の抵抗値を調整して（ステップＳ１２０）、本ルーチンを終了する。こうした処理により、濃度指示値Ｃ＊を入力するだけで、指示した濃度に原液を希釈した希釈液を希釈液取出流路４０から取り出すことができる。
【００１９】
以上説明した実施例の流体混合装置２０によれば、混合部３０の混合流路３２の底部に隙間が波線状となる一対の電極３４ａ，３４ｂに交流電圧を印加することにより原液と溶媒とを混合するから、簡易で小型の構成で断面の相当直径が１０００マイクロメートル以下の混合流路３２内に流れる原液と溶媒とを混合することができる。しかも、一対の電極３４ａ，３４ｂに印加する交流電圧の大きさを変更するだけで原液の混合比率を変更した希釈液を希釈液取出流路４０から取り出すことができる。したがって、一対の電極３４ａ，３４ｂに印加する交流電圧の大きさを調整することにより、原液と溶媒と任意の混合比率をもって混合することができる。さらに、実施例の流体混合装置２０によれば、こうした原理に基づいて電圧設定用マップを用いることにより、濃度指示値Ｃ＊を入力するだけで指示した濃度に原液を希釈した希釈液を希釈液取出流路４０から取り出すことができる。これにより、断面の相当直径が１０００マイクロメートル以下の混合流路３２内に流れる原液と溶媒とを高い精度の任意の混合比率をもって混合して希釈液として取り出すことができる。
【００２０】
実施例の流体混合装置２０によれば、希釈液取出流路４０に均一化部４２を設けているから、希釈液取出流路４０から取り出される希釈液における原液の溶媒への混合を均一なものとすることができる。
【００２１】
実施例の流体混合装置２０では、混合部３０の混合流路３２内に流れる流体の流心に沿って対をなし、その隙間が波線状となるよう一対の電極３４ａ，３４ｂを形成して混合流路３２の底部に配設するものとしたが、混合流路３２内に流れる流体の流心に対して偏心していればよいから、図８の変形例の混合部１３０に例示するように、混合流路１３２の底部に混合流路１３２内に流れる流体の流心から偏心するよう二対の電極１３４ａ，１３４ｂを配設するものとしてもよい。また、図９の変形例の混合部２３０に例示するように、混合流路２３２の底部の中央に電極２３４ａを配設すると共に混合流路２３２の底部の両サイドに二つの電極２３４ｂを配設するものとしてもよい。この場合、中央の電極２３４ａは、二つの電極を合体させたものと見ることができ、対流現象作用は混合流路２３２内に流れる流体の流心から偏心している。さらに、図１０の変形例の混合部３３０に例示するように、その隙間が曲線状となるように且つその隙間が混合流路３３２内に流れる流体の流心から偏心するように一対の電極３３４ａ，３３４ｂを形成して混合流路３３２の底部に配設するものとしてもよい。このほか、矩形や円形，楕円形に形成された複数の電極を混合流路３２内に千鳥状に配置するものとしても構わない。こうした変形例の混合部１３０，２３０，３３０の電極１３４ａ，１３ｂ，２３４ａ，２３４ｂ，３３４ａ，３３４ｂの構成や配置は希釈液取出流路４０に取り付けられた均一化部４２の電極４４ａ，４４ｂの構成や配置にも適用することができる。
【００２２】
実施例の流体混合装置２０では、交流電気浸透の原理を用いて混合部３０を構成するものとしたが、相当直径が１０００マイクロメートル以下の混合流路３２内に流れる原液と溶媒との混合の程度（撹拌の程度）を変更可能なものであれば、如何なるものを用いるものとしてもよい。例えば、超音波の強度を変更可能な超音波攪拌機を用いて混合部を構成するものとしてもよいし、混合流路に流れる原液と溶媒に強度を変更可能な圧力パルスを与えることにより、原液と溶媒との混合の程度を変更するものとしても構わない。
【００２３】
実施例の流体混合装置２０では、希釈液取出流路４０に均一化部４２を設けるものとしたが、こうした均一化部４２を設けないものとしても構わない。
【００２４】
実施例の流体混合装置２０では、入力された濃度指示値Ｃ＊に基づいて電極３４ａ，３４ｂに印加する交流電圧の振幅としての電圧Ｖを設定すると共に設定した電圧Ｖとなるように可変抵抗３８の抵抗値を調整するものとしたが、希釈液取出流路４０から取り出される希釈液の濃度を検出する濃度センサを取り付け、濃度センサにより検出される希釈液の濃度が濃度指示値Ｃ＊に一致するよう可変抵抗３８の抵抗値を調整する、いわゆるフィードバック制御を行なうものとしてもよい。
【００２５】
実施例の流体混合装置２０では、原液と溶媒とを混合して任意の混合比率をもって原液を希釈した希釈液を取り出すものとしたが、異なる二つの液体を任意の混合比率をもって混合してなる溶液を取り出すものとしても構わない。
【００２６】
実施例の流体混合装置２０、一対の電極３４ａ，３４ｂを混合流路３２の底部に配設するものとしたが、一対の電極３４ａ，３４ｂを混合流路３２の底部に配設するものに限定されるものではなく、一対の電極３４ａ，３４ｂを混合流路３２の頂部や側部など種々の部位に配設するものとしてもよい。この場合、一対の電極３４ａ，３４ｂを同一平面上に配置しないものとしても構わない。
【００２７】
実施例の流体混合装置２０では、混合流路３２の断面を幅が１２０μｍで深さが４０μｍの略円弧状としたが、混合流路３２の断面は、相当直径が１０００μｍ以下であれば、如何なる断面形状としてもよい。即ち、円形断面としてもよいし、矩形断面としてもよいし、多角形断面や楕円断面などとしても構わない。また、こうした混合流路３２としては、断面の相当直径が１０００μｍ以下のマイクロ流路であればよく、マイクロ流路の断面の相当直径としては、５００μｍや１００μｍ、５０μｍ、１０μｍなどを用いるものとしてもよい他、ナノメートルオーダーを用いるものとしてもよい。
【００２８】
実施例の流体混合装置２０では、交流電源３６として振幅の電圧が２０Ｖで周波数が１ｋＨｚのものを用いるものとしたが、電極３４ａ，３４ｂ上で交流電気浸透の現象を生じさせると共にその程度を変更可能なものであれば、如何なる振幅の如何なる周波数の交流電圧であっても構わない。例えば、交流電圧の振幅は１Ｖ以上や３Ｖ，５Ｖ，１０Ｖ，３０Ｖ，５０Ｖなど種々のものを用いることができるし、周波数も１００Ｈｚや３００Ｈｚ，５００Ｈｚ，１ｋＨｚ，３ｋＨｚ，５ｋＨｚなど種々のものを用いることができる。
【００２９】
実施例の流体混合装置２０では、可変抵抗３８の抵抗値を変更して電極３４ａ，３４ｂに印加する交流電圧の振幅を変更することにより、原液の溶媒に対する混合比率を変更するものとしたが、交流電圧の周波数を変更することにより、原液の溶媒に対する混合比率を変更するものとしても構わない。
【００３０】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３１】
本発明は、流体混合装置の製造産業に利用可能である。
【図面の簡単な説明】
【００３２】
【図１】本発明の一実施例としての流体混合装置２０の構成の概略を模式的に示す構成図である。
【図２】交流電気浸透により対称な二つの対流現象作用を説明する説明図である。
【図３】非対称な二つの対流現象作用を説明する説明図である。
【図４】実施例における混合流路３２内の流体の流速Ｖと９０％混合するのに必要な混合流路３２内における電極３４ａ，３４ｂの長さとの関係の一例を示す説明図である。
【図５】ペクレ数ＰｅとＸ９０／ｄｈとの関係の一例を示す説明図である。
【図６】電子制御ユニット５０により実行される濃度設定ルーチンの一例を示すフローチャートである。
【図７】電圧設定用マップの一例を示す説明図である。
【図８】変形例の混合部１３０の構成の概略を示す構成図である。
【図９】変形例の混合部２３０の構成の概略を示す構成図である。
【図１０】変形例の混合部３３０の構成の概略を示す構成図である。
【符号の説明】
【００３３】
２０  流体混合装置、２２  溶媒導入流路、２４  原液導入流路、３０，１３０，２３０，３３０  混合部、３２，１３２，２３２，３３２  混合流路、３４ａ，３４ｂ，１３４ａ，１３４ｂ，２３４ａ，２３４ｂ，３３４ａ，３３４ｂ  電極、３６  交流電源、３８  可変抵抗、４０  希釈液取出流路、４２  均一化部、４４ａ，４４ｂ  電極、  ４６  交流電源、４８  廃液回収流路、５０  電子制御ユニット、５２  ＣＰＵ、５４  ＲＯＭ、５６  ＲＡＭ  ６０  濃度指示値入力部。
【図１】
2006320878.tif 000003
【図２】
2006320878.tif 000004
【図３】
2006320878.tif 000005
【図４】
2006320878.tif 000006
【図５】
2006320878.tif 000007
【図６】
2006320878.tif 000008
【図７】
2006320878.tif 000009
【図８】
2006320878.tif 000010
【図９】
2006320878.tif 000011
【図１０】
2006320878.tif 000012